(57)【要約】【課題】低コストでファンに負荷を与えず施工やメンテナンスが容易な構造で消音できる周波数帯域の拡大し、ファン負荷の状態が変わっても騒音を低減することができる遠心送風機を提供することを目的とする。【解決手段】吸込み口１５を備えるケーシング８と、ケーシング８内部に配置される遠心羽根車７と、遠心羽根車７を回動させる電動機６と、ケーシング８と外郭４の開口３の間にそれぞれ間隔Ｈ１、Ｈ２で配置される第１のオリフィス板１６と第２のオリフィス板１７を備えたことにより、ケーシング８の吸込み口１５から放射される騒音を共鳴周波数の異なる第１の空間２６と第２の空間２８によって共鳴消音することができるため、騒音を低減することができる遠心送風機１を得られる。【選択図】図１
2010014043.tif 000002
【特許請求の範囲】
【請求項１】
開口を有する外枠と、動力部と、前記外枠内部に前記動力部によって回転し空気を送風する遠心羽根車と、前記遠心羽根車を内包するケーシングと前記ケーシングからの空気をダクトへ導くアダプタとを備え、前記ケーシングは前記外郭の前記開口に面する吸込み口と側壁を備えた遠心送風機で、前記ケーシングの前記吸込み口と前記外郭の前記開口の間に所定の間隔で複数の空間を形成する複数のオリフィス板を備え、複数の前記オリフィス板にはそれぞれ前記ケーシングの前記吸込み口と前記外郭の前記開口を連通させる連通孔を備えたことを特徴とする遠心送風機。
【請求項２】
ケーシングの高さＨｃがダクトの内径Ｄｄより小さいことを特徴とする請求項１に記載の遠心送風機。
【請求項３】
複数のオリフィス板のうち最も外郭の開口側の前記オリフィス板の連通孔にベルマウス状の吸込み胴を備えたことを特徴とする請求項１または２に記載の遠心送風機。
【請求項４】
ケーシングの吸込み口と複数のオリフィス板の連通孔が同心円であることを特徴とする請求項１〜３いずれかに記載の遠心送風機。
【請求項５】
複数のオリフィス板のうち最もケーシング側の前記オリフィス板の連通孔の内径は前記ケーシングの吸込み口の内径と同等以上で、かつ互いに隣り合う前記オリフィス板の前記連通孔の内径は同等もしくは外郭の開口側に位置する側の方が大きいことを特徴とする請求項４に記載の遠心送風機。
【請求項６】
全ての複数のオリフィス板の連通孔にベルマウス状あるいは筒状の吸込み胴を備え、それぞれの前記吸込み胴の端部と前記オリフィス板により形成される複数の隙間の少なくとも一つが異なることを特徴とする請求項４または５に記載の遠心送風機。
【請求項７】
全ての複数のオリフィス板の連通孔にベルマウス状あるいは筒状の吸込み胴を備え、それぞれの前記吸込み胴の端部と前記オリフィス板により形成される複数の隙間が全て同じであることを特徴とする請求項４または５に記載の遠心送風機。
【請求項８】
複数のオリフィス板により形成される空間の容積のうち少なくとも一つの容積が異なることを特徴とする請求項４〜７いずれかに記載の遠心送風機。
【請求項９】
複数のオリフィス板により形成される空間の容積が全て同一であることを特徴とする請求項４〜７いずれかに記載の遠心送風機。
【請求項１０】
ケーシングは、側壁が略渦巻き状であるスクロールケーシングであることを特徴とする請求項１〜９いずれかに記載の遠心送風機。
【請求項１１】
複数のオリフィス板により形成される複数の空間の少なくとも一つに吸音材を備えたことを特徴とする請求項１〜９いずれかに記載の遠心送風機。
【請求項１２】
ケーシングと隣り合う第１のオリフィス板と、外郭の開口と隣り合う第２のオリフィス板の二つのオリフィス板を備えたことを特徴とする遠心送風機請求項１〜１１いずれかに記載の遠心送風機。
【請求項１３】
ケーシングの側壁を外郭の開口側に延伸した延長側壁を備え、前記延長側壁と、前記延長側壁と同外形の第１のオリフィス板により第１の空間が形成されたことを特徴とする請求項１２に記載の遠心送風機。
【請求項１４】
ケーシングの吸込み口と第１のオリフィス板との間隔Ｈ１が前記第１のオリフィス板と第２のオリフィス板との間隔Ｈ２より小さいことを特徴とする請求項１２または１３に記載の遠心送風機。
【請求項１５】
第１のオリフィス板により形成される第１の空間と第２のオリフィス板により形成される第２の空間の少なくとも一方が、円周方向に複数に分割されたことを特徴とする請求項１２〜１４いずれかに記載の遠心送風機。
【請求項１６】
第２のオリフィス板が可動であることを特徴とする請求項１２〜１５いずれかに記載の遠心送風機。
【請求項１７】
第２のオリフィス板の吸込み胴が伸縮可能であることを特徴とする請求項１２〜１６いずれかに記載の遠心送風機。
【請求項１８】
第２のオリフィス板に開閉部を備えたことを特徴とする請求項１２〜１７いずれかに記載の遠心送風機。
【請求項１９】
ケーシングの側壁を外郭の開口側に延伸した延長側壁を備え、前記延長側壁と、前記延長側壁と同外形の第１のオリフィス板により第１の空間が形成され、前記延長側壁と同外形の第２のオリフィス板により第２の空間が形成されたことを特徴とする請求項１２〜１８いずれかに記載の遠心送風機。
【請求項２０】
第１のオリフィス板にのみ水抜き穴を備えたことを特徴とする請求項１２〜１９いずれかに記載の遠心送風機。
【請求項２１】
外郭の開口を覆うように取付けられるグリルを備え、前記グリルと第２のオリフィス板が一体となったことを特徴とする請求項１２〜２０いずれかに記載の遠心送風機。
【発明の詳細な説明】
【技術分野】
【０００１】
本発明は、主に天井に設置される換気送風機器等に使用される遠心送風機に関するものである。
【背景技術】
【０００２】
従来、この種の遠心送風機は、天井埋込型換気扇などに用いられ、ベルマウス状の吸込み口を有する吸込ケーシングとは別のオリフィスを外郭の一面の開口に備えたものが知られている（例えば、特許文献１参照）。
【０００３】
以下、その遠心送風機について図１３を参照しながら説明する。図１２に示すように一面を開口した外郭１０１と、この外郭１０１内の天面１０２に羽根車１０３を固着した電動機１０４と、羽根車１０３の周囲を取り囲むケーシング１０５と、吸込み口１０６を有する吸込みケーシング１０７とを備える遠心送風機は、吸込み口１０６より同等あるいは小さな吸込み孔１０８を有するオリフィス１０９を吸込ケーシング１０７の下端１１０とオリフィス１０９の端部１１１とを間隙寸法ｉの間隙１１５を隔てて設けて、高さｈの共鳴空間１１２を構成している。また、このオリフィス１０９の一面にグリル１１３と、外郭１０１の一側面に設けた吐出口１１４とを備えている。
【０００４】
上記構成において、羽根車１０３が回転すると、吸込空気はグリル１１３からオリフィス１０９の吸込み孔１０８を通り、吸込みケーシング１０７の吸込み口１０６より羽根車１０３に入り羽根車１０３により昇圧され、ケーシング１０５の内部を通り吐出口１１４より吐出される。このとき羽根車１０３で昇圧されるときに発生する回転騒音や、ケーシング１０５を通るときに発生する渦による乱流騒音や、ケーシング１０５内で発生した騒音の音波が吸込み口１０６から放射され、その一部は間隙１１５から共鳴空間１１２に入射する。入射した騒音の音波のうち、間隙１１５や共鳴空間１１２の容積や形状によって特定される周波数の騒音の音波は、共鳴空間１１２内で気柱共鳴がおき、共鳴消音される。
【特許文献１】特許第３２７９８３４号公報
【発明の開示】
【発明が解決しようとする課題】
【０００５】
このような従来の遠心送風機では、消音できる周波数帯域が間隙１１５や共鳴空間１１２の容積や形状によって特定されるが、外的要因によって変動するファンの負荷によって騒音の周波数特性も変わるので、消音できる周波数帯域が発生する騒音の周波数とずれた場合は騒音低減効果が小さくなるという課題があり、また、消音できる周波数帯域を拡大して騒音低減効果を高めるために遮音板や吸音材を多用すると、製造コストが上がったり、空気の流路を妨げてファンの負荷が増大したり、メンテナンス時の障害物になったりするという課題があり、低コストでファンに負荷を与えず施工やメンテナンスが容易な構造で消音できる周波数帯域を拡大することが要求されている。
【０００６】
本発明は、このような従来の課題を解決するものであり、低コストでファンに負荷を与えず施工やメンテナンスが容易な構造で消音できる周波数帯域の拡大し、ファン負荷の状態が変わっても騒音を低減することができる遠心送風機を提供することを目的としている。
【課題を解決するための手段】
【０００７】
本発明の遠心送風機は上記目的を達成するために、開口を有する外枠と、動力部と、外枠内部に動力部によって回転し空気を送風する遠心羽根車と、遠心羽根車を内包するケーシングとケーシングからの空気をダクトへ導くアダプタとを備え、ケーシングは外郭の開口に面する吸込み口と側壁を備えた遠心送風機で、ケーシングの吸込み口と外郭の開口の間に所定の間隔で複数の空間を形成する複数のオリフィス板を備え、複数のオリフィス板にはそれぞれケーシングの吸込み口と外郭の開口を連通させる連通孔を備えたことを特徴とする遠心送風機としたものである。
【０００８】
この手段により、ケーシングの吸込み口から放射される騒音を複数の空間で共鳴消音して複数の周波数帯域の騒音を低減できるため、消音できる周波数帯域を拡大することができる遠心送風機が得られる。
【０００９】
また他の手段は、ケーシングの高さＨｃがダクトの内径Ｄｄより小さいことを特徴とする遠心送風機としたものである。
【００１０】
この手段により、外郭内で共鳴消音に利用できる空間を大きくすることができるため、消音できる周波数帯域を拡大することができる遠心送風機が得られる。
【００１１】
また他の手段は、複数のオリフィス板のうち最も外郭の開口側のオリフィス板の連通孔にベルマウス状の吸込み胴を備えたことを特徴とする遠心送風機としたものである。
【００１２】
この手段により、外郭内に空気を円滑に流入させることができるため、ファンに負荷を与えず消音機構を形成することができる遠心送風機が得られる。
【００１３】
また他の手段は、ケーシングの吸込み口と複数のオリフィス板の連通孔が同心円であることを特徴とする遠心送風機としたものである。
【００１４】
この手段により、外郭内に流入した空気をケーシングの吸込み口まで直線的に導くことができるため、ファンに負荷を与えず消音機構を形成することができる遠心送風機が得られる。
【００１５】
また他の手段は、複数のオリフィス板のうち最もケーシング側のオリフィス板の連通孔の内径はケーシングの吸込み口の内径と同等以上で、かつ互いに隣り合うオリフィス板の連通孔の内径は同等もしくは外郭の開口側に位置する側の方が大きいことを特徴とする遠心送風機としたものである。
【００１６】
この手段により、外郭内に流入した空気をケーシングの吸込み口まで流路の急拡大や急縮小が無く円滑に導くことができるため、ファンに負荷を与えず消音機構を形成することができる遠心送風機が得られる。
【００１７】
また他の手段は、全ての複数のオリフィス板の連通孔にベルマウス状あるいは筒状の吸込み胴を備え、それぞれの吸込み胴の端部とオリフィス板により形成される複数の隙間は少なくとも一つが異なることを特徴とする遠心送風機としたものである。
【００１８】
この手段により、吸込み胴の隙間によって共鳴消音できる周波数が変動するが、少なくとも一つの隙間が異なるため、複数の周波数帯域の騒音を低減でき、消音できる周波数帯域を拡大することができる遠心送風機が得られる。
【００１９】
また他の手段は、全ての複数のオリフィス板の連通孔にベルマウス状あるいは筒状の吸込み胴を備え、それぞれの吸込み胴の端部とオリフィス板により形成される複数の隙間は全て同じであることを特徴とする遠心送風機としたものである。
【００２０】
この手段により、吸込み胴の隙間によって共鳴消音できる周波数が変動するが、全ての隙間を同一にしているため、特に大きな騒音レベルの周波数帯域の騒音を集中して低減することができる遠心送風機が得られる。
【００２１】
また他の手段は、複数のオリフィス板により形成される空間の容積のうち少なくとも一つの容積が異なることを特徴とする遠心送風機としたものである。
【００２２】
この手段により、オリフィス板により形成される空間の容積によって共鳴消音できる周波数が変動するが、少なくとも一つの容積が異なるため、複数の周波数帯域の騒音を低減でき、消音できる周波数帯域を拡大することができる遠心送風機が得られる。
【００２３】
また他の手段は、複数のオリフィス板により形成される空間の容積が全て同じであることを特徴とする遠心送風機としたものである。
【００２４】
この手段により、オリフィス板により形成される空間の容積によって共鳴消音できる周波数が変動するが、全ての容積を同一にしているため、特に大きな騒音レベルの周波数帯域の騒音を集中して低減することができる遠心送風機が得られる。
【００２５】
また他の手段は、ケーシングは、側壁が略渦巻き状であるスクロールケーシングであることを特徴とする遠心送風機としたものである。
【００２６】
この手段により、側壁が渦巻き状であるため送風効率が良くファンの負荷を低減でき、また外郭とケーシングの間に略三角形状の角部空間を形成できるので、共鳴消音する空間の容積を大きくすることができ、消音できる周波数帯域を拡大することができる遠心送風機が得られる。
【００２７】
また他の手段は、複数のオリフィス板により形成される複数の空間の少なくとも一つに吸音材を備えたことを特徴とする遠心送風機としたものである。
【００２８】
この手段により、共鳴消音に加え吸音材での吸音ができるため、消音できる周波数帯域を拡大することができる遠心送風機が得られる。
【００２９】
また他の手段は、ケーシングと隣り合う第１のオリフィス板と、外郭の開口と隣り合う第２のオリフィス板の二つのオリフィス板を備えたことを特徴とする遠心送風機遠心送風機としたものである。
【００３０】
この手段により、２枚のオリフィス板で低周波と高周波の両方を効率よく騒音低減できるため、低コストで消音できる周波数帯域を拡大することができる遠心送風機が得られる。
【００３１】
また他の手段は、ケーシングの側壁を外郭の開口側に延伸した延長側壁を備え、延長側壁と、延長側壁と同外形の第１のオリフィス板により第１の空間が形成されたことを特徴とする遠心送風機としたものである。
【００３２】
この手段により、比較的容積が小さな第１の空間で高周波の騒音を低減し、比較的容積が大きな容積の第２の空間で低周波の騒音を低減でき、低周波と高周波の両方を効率よく騒音低減できるため、消音できる周波数帯域を拡大することができる遠心送風機が得られる。
【００３３】
また他の手段は、ケーシングの吸込み口と第１のオリフィス板との間隔Ｈ１が第１のオリフィス板と第２のオリフィス板との間隔Ｈ２より小さいことを特徴とする遠心送風機としたものである。
【００３４】
この手段により、第２のオリフィス板で形成される第２の空間の容積を大きくすることができるため、第２の空間でさらに低周波の騒音を低減することができ、消音できる周波数帯域を拡大することができる遠心送風機が得られる。
【００３５】
また他の手段は、第１のオリフィス板により形成される第１の空間と第２のオリフィス板により形成される第２の空間の少なくとも一方が、円周方向に複数に分割されたことを特徴とする遠心送風機としたものである。
【００３６】
この手段により、異なる容積の空間の数を増やすことができるため、消音できる周波数帯域を拡大することができる遠心送風機が得られる。
【００３７】
また他の手段は、第２のオリフィス板が可動であることを特徴とする遠心送風機としたものである。
【００３８】
この手段により、第２の空間の容積や隙間を変化させることができるため、消音できる周波数帯域を調整することができる遠心送風機が得られる。
【００３９】
また他の手段は、第２のオリフィス板の吸込み胴が伸縮可能であることを特徴とする遠心送風機としたものである。
【００４０】
この手段により、第２のオリフィス板の吸込み胴の端部と第１のオリフィス板との隙間を変化させることができるため、消音できる周波数帯域を調整することができる遠心送風機が得られる。
【００４１】
また他の手段は、第２のオリフィス板に開閉部を備えたことを特徴とする遠心送風機としたものである。
【００４２】
この手段により、外郭内に設置された結線部や電装部に対し、外郭の開口側から作業ができるようになるため、施工やメンテナンスを容易にすることができる遠心送風機が得られる。
【００４３】
また他の手段は、ケーシングの側壁を外郭の開口側に延伸した延長側壁を備え、延長側壁と、延長側壁と同外形の第１のオリフィス板により第１の空間が形成され、延長側壁と同外形の第２のオリフィス板により第２の空間が形成されたことを特徴とする遠心送風機としたものである。
【００４４】
この手段により、外郭内に設置された結線部や電装部に対し、外郭の開口側から作業ができるようになるため、施工やメンテナンスを容易にすることができる遠心送風機が得られる。
【００４５】
また他の手段は、第１のオリフィス板にのみ水抜き穴を備えたことを特徴とする遠心送風機としたものである。
【００４６】
この手段により、第１のオリフィス板からあふれた結露水が外郭から滴下することを防止することができ、また比較的容積の大きな第２の空間にドレン水を溜めることができるため、自然蒸発させることができ、また第２のオリフィス板を外すだけでドレン水の処理をすることができるため、メンテナンスが容易となる遠心送風機が得られる。
【００４７】
また他の手段は、外郭の開口を覆うように取付けられるグリルを備え、グリルと第２のオリフィス板が一体となったことを特徴とする遠心送風機としたものである。
【００４８】
この手段により、グリルと第２のオリフィス板を一部品にすることができるため、低コストで消音できる周波数帯域を拡大することができる遠心送風機が得られる。
【発明の効果】
【００４９】
本発明によれば、低コストでファンに負荷を与えず施工やメンテナンスが容易な構造で消音できる周波数帯域の拡大し、ファン負荷の状態が変わっても騒音を低減することができる遠心送風機を提供できる。
【発明を実施するための最良の形態】
【００５０】
本発明の請求項１記載の発明は、開口を有する外枠と、動力部と、外枠内部に動力部によって回転し空気を送風する遠心羽根車と、遠心羽根車を内包するケーシングとケーシングからの空気をダクトへ導くアダプタとを備え、ケーシングは外郭の開口に面する吸込み口と側壁を備えた遠心送風機で、ケーシングの吸込み口と外郭の開口の間に所定の間隔で複数の空間を形成する複数のオリフィス板を備え、複数のオリフィス板にはそれぞれケーシングの吸込み口と外郭の開口を連通させる連通孔を備えたことを特徴とする遠心送風機としたものであり、ケーシングの吸込み口から放射される騒音を複数の空間で共鳴消音して複数の周波数帯域の騒音を低減できるため、消音できる周波数帯域を拡大することができるという作用を有する。
【００５１】
また、ケーシングの高さＨｃがダクトの内径Ｄｄより小さいことを特徴とする遠心送風機としたものであり、外郭内で共鳴消音に利用できる空間を大きくすることができるため、消音できる周波数帯域を拡大することができるという作用を有する。
【００５２】
また、複数のオリフィス板のうち最も外郭の開口側のオリフィス板の連通孔にベルマウス状の吸込み胴を備えたことを特徴とする遠心送風機としたものであり、外郭内に空気を円滑に流入させることができるため、ファンに負荷を与えず消音機構を形成することができるという作用を有する。
【００５３】
また、ケーシングの吸込み口と複数のオリフィス板の連通孔が同心円であることを特徴とする遠心送風機としたものであり、外郭内に流入した空気をケーシングの吸込み口まで直線的に導くことができるため、ファンに負荷を与えず消音機構を形成することができるという作用を有する。
【００５４】
また、複数のオリフィス板のうち最もケーシング側のオリフィス板の連通孔の内径はケーシングの吸込み口の内径と同等以上で、かつ互いに隣り合うオリフィス板の連通孔の内径は同等もしくは外郭の開口側に位置する側の方が大きいことを特徴とする遠心送風機としたものであり、外郭内に流入した空気をケーシングの吸込み口まで流路の急拡大や急縮小が無く円滑に導くことができるため、ファンに負荷を与えず消音機構を形成することができるという作用を有する。
【００５５】
また、全ての複数のオリフィス板の連通孔にベルマウス状あるいは筒状の吸込み胴を備え、それぞれの吸込み胴の端部とオリフィス板により形成される複数の隙間は少なくとも一つが異なることを特徴とする遠心送風機としたものであり、吸込み胴の隙間によって共鳴消音できる周波数が変動するが、少なくとも一つの隙間が異なるため、複数の周波数帯域の騒音を低減でき、消音できる周波数帯域を拡大することができるという作用を有する。
【００５６】
また、全ての複数のオリフィス板の連通孔にベルマウス状あるいは筒状の吸込み胴を備え、それぞれの吸込み胴の端部とオリフィス板により形成される複数の隙間は全て同じであることを特徴とする遠心送風機としたものであり、吸込み胴の隙間によって共鳴消音できる周波数が変動するが、全ての隙間を同一にしているため、特に大きな騒音レベルの周波数帯域の騒音を集中して低減することができるという作用を有する。
【００５７】
また、複数のオリフィス板により形成される空間の容積のうち少なくとも一つの容積が異なることを特徴とする遠心送風機としたものであり、オリフィス板により形成される空間の容積によって共鳴消音できる周波数が変動するが、少なくとも一つの容積が異なるため、複数の周波数帯域の騒音を低減でき、消音できる周波数帯域を拡大することができるという作用を有する。
【００５８】
また、複数のオリフィス板により形成される空間の容積が全て同じであることを特徴とする遠心送風機としたものであり、オリフィス板により形成される空間の容積によって共鳴消音できる周波数が変動するが、全ての容積を同一にしているため、特に大きな騒音レベルの周波数帯域の騒音を集中して低減することができるという作用を有する。
【００５９】
また、ケーシングは、側壁が略渦巻き状であるスクロールケーシングであることを特徴とする遠心送風機としたものであり、側壁が渦巻き状であるため送風効率が良くファンの負荷を低減でき、また外郭とケーシングの間に略三角形状の角部空間を形成できるので、共鳴消音する空間の容積を大きくすることができ、消音できる周波数帯域を拡大することができるという作用を有する。
【００６０】
また、複数のオリフィス板により形成される複数の空間の少なくとも一つに吸音材を備えたことを特徴とする遠心送風機としたものであり、共鳴消音に加え吸音材での吸音ができるため、消音できる周波数帯域を拡大することができるという作用を有する。
【００６１】
また、ケーシングと隣り合う第１のオリフィス板と、外郭の開口と隣り合う第２のオリフィス板の二つのオリフィス板を備えたことを特徴とする遠心送風機遠心送風機としたものであり、２枚のオリフィス板で低周波と高周波の両方を効率よく騒音低減できるため、低コストで消音できる周波数帯域を拡大することができるという作用を有する。
【００６２】
また他の手段は、ケーシングの側壁を外郭の開口側に延伸した延長側壁を備え、延長側壁と、延長側壁と同外形の第１のオリフィス板により第１の空間が形成されたことを特徴とする遠心送風機としたものであり、比較的容積が小さな第１の空間で高周波の騒音を低減し、比較的容積が大きな容積の第２の空間で低周波の騒音を低減でき、低周波と高周波の両方を効率よく騒音低減できるため、消音できる周波数帯域を拡大することができるという作用を有する。
【００６３】
また、ケーシングの吸込み口と第１のオリフィス板との間隔Ｈ１が第１のオリフィス板と第２のオリフィス板との間隔Ｈ２より小さいことを特徴とする遠心送風機としたものであり、第２のオリフィス板で形成される第２の空間の容積を大きくすることができるため、第２の空間でさらに低周波の騒音を低減することができ、消音できる周波数帯域を拡大することができるという作用を有する。
【００６４】
また、第１のオリフィス板により形成される第１の空間と第２のオリフィス板により形成される第２の空間の少なくとも一方が、円周方向に複数に分割されたことを特徴とする遠心送風機としたものであり、異なる容積の空間の数を増やすことができるため、消音できる周波数帯域を拡大することができるという作用を有する。
【００６５】
また、第２のオリフィス板が可動であることを特徴とする遠心送風機としたものであり、第２の空間の容積や隙間を変化させることができるため、消音できる周波数帯域を調整することができるという作用を有する。
【００６６】
また、第２のオリフィス板の吸込み胴が伸縮可能であることを特徴とする遠心送風機としたものであり、第２のオリフィス板の吸込み胴の端部と第１のオリフィス板との隙間を変化させることができるため、消音できる周波数帯域を調整することができるという作用を有する。
【００６７】
また、第２のオリフィス板に開閉部を備えたことを特徴とする遠心送風機としたものであり、外郭内に設置された結線部や電装部に対し、外郭の開口側から作業ができるようになるため、施工やメンテナンスを容易にすることができるという作用を有する。
【００６８】
また、ケーシングの側壁を外郭の開口側に延伸した延長側壁を備え、延長側壁と、延長側壁と同外形の第１のオリフィス板により第１の空間が形成され、延長側壁と同外形の第２のオリフィス板により第２の空間が形成されたことを特徴とする遠心送風機としたものであり、外郭内に設置された結線部や電装部に対し、外郭の開口側から作業ができるようになるため、施工やメンテナンスを容易にすることができるという作用を有する。
【００６９】
また、第１のオリフィス板にのみ水抜き穴を備えたことを特徴とする遠心送風機としたものであり、第１のオリフィス板からあふれた結露水が外郭から滴下することを防止することができ、また比較的容積の大きな第２の空間にドレン水を溜めることができるため、自然蒸発させることができ、また第２のオリフィス板を外すだけでドレン水の処理をすることができるため、メンテナンスを容易にすることができるという作用を有する。
【００７０】
また、外郭の開口を覆うように取付けられるグリルを備え、グリルと第２のオリフィス板が一体となったことを特徴とする遠心送風機としたものであり、グリルと第２のオリフィス板を一部品にすることができるため、低コストで消音できる周波数帯域を拡大することができるという作用を有する。
【００７１】
以下、本発明の実施の形態について図面を参照しながら説明する。
【００７２】
（実施の形態１）
本発明の実施の形態１を図１から図４を用いて説明する。図に示すように、浴室やトイレなどの空間を換気するために天井に取付けられる天井埋込型換気扇として使用される遠心送風機１は、下面２に開口３を備えた２６０ｍｍ角で高さが２００ｍｍの外郭４と、外郭４内に水平に固定される平板状の天板５と、天板５に固定される電動機６と、電動機６に回動可能に固定される外径が１８３ｍｍで高さＨｃが６０ｍｍの遠心羽根車７と、遠心羽根車７を覆うように固定される側壁２４がスクロール状のケーシング８と、ケーシング８の吐出口９と外郭４の側面１０の排出口１１と呼び径φ１００ｍｍのダクト１２と連通させるアダプタ１３を備えている。
【００７３】
ダクト内径Ｄｄは１０７ｍｍ、ケーシング高さＨｃは７５ｍｍで、ケーシング８は、遠心羽根車７の回転軸１４を中心に吸込み口内径Ｄ０が１５０ｍｍのベルマウス状の吸込み口１５を備えている。
【００７４】
ケーシング８と外郭４の開口３の間にはケーシング８の吸込み口１５から間隔Ｈ１（３０ｍｍ）の位置に第１のオリフィス板１６を備え、第１のオリフィス板１６と間隔Ｈ２（６０ｍｍ）の位置に第２のオリフィス板１７を備え、第１のオリフィス板１６と第２のオリフィス板１７にはそれぞれベルマウス状の第１の吸込み胴１８を備えた第１の連通孔１９と第２の吸込み胴２０を備えた第２の連通孔２１を備えており、第１の連通孔１９と第２の連通孔２１は共にケーシング８の吸込み口１５と同径で同心円である。
【００７５】
第１のオリフィス板１６の第１の吸込み胴１８の第１の端部２２とケーシング８の吸込み口１５との第１の隙間ｔ１は１０ｍｍ、第２のオリフィス板１７の第２の吸込み胴２０の第２の端部２３と第１のオリフィス板１６との第２の隙間ｔ２は２５ｍｍである。
【００７６】
第１のオリフィス板１６の外形はケーシング８と同じで、ケーシング８の側壁２４が外郭４の開口３側に延伸された延長側壁２５と第１のオリフィス板１６で第１の空間２６を形成し、第１のオリフィス板１６の一部には結露水を排出する水抜き穴２７を備えている。
【００７７】
また、第２のオリフィス板１７の外形は外郭４の内部を埋めるように広がり、第２の空間２８を形成している。
【００７８】
外郭４とケーシング８の舌部２９に囲まれる略三角形状のスペースには、電力線を外部から引き込み結線するための部品や電動機を駆動させるための電気部品を収めるための電装部３０を備えており、第２のオリフィス板１７の電装部に対応する部分に開閉部３１を備えた構造となっている。
【００７９】
上記構成により、電動機６から駆動力を与えて遠心羽根車７を回転させることにより、吸込み空気が外郭４の下面２の開口３、第２のオリフィス板１７の第２の連通孔２１、第１のオリフィス板１６と第１の連通孔１９、ケーシング８の吸込み口１５を順次通って遠心羽根車７に導かれて昇圧され、スクロール状のケーシング８を通る際に徐々に動圧が静圧に変換され、吐出口９から外郭４の排出口１１とアダプタ１３を介してダクト１２から外部へ排出される。
【００８０】
このとき、遠心羽根車７の回転騒音や、ケーシング８の内部で発生する乱流騒音や、ケーシング８内で共鳴により増幅された騒音の音波が、ケーシング８の吸込み口１５から放射されるが、その一部は、第１の隙間ｔ１や第２の隙間ｔ２からそれぞれ第１の空間２６、第２の空間２８に入射し、第１の隙間ｔ１と第１の空間２６、第２の隙間ｔ２と第２の空間２８とでそれぞれ共鳴型消音構造が形成されているため、それぞれ入射した騒音の音波のうち、それぞれの共鳴型消音構造の共鳴周波数と一致する周波数の音波の一部が消音され、遠心送風機１の外部に放出される騒音が低減する。第１の隙間ｔ１と第２の隙間ｔ２、第１の空間２６の容積と第２の空間２８の容積はそれぞれ異なるため、それぞれの共鳴型消音構造の共鳴周波数は異なり、別の周波数帯域の騒音を消音することができ、消音できる周波数帯域を拡大することができる。第１の空間２６はケーシング８の延長側壁２５で囲まれており、またケーシング８と第１のオリフィス板１６の間隔Ｈ１は第１のオリフィス板１６と第２のオリフィス板１７の間隔Ｈ２よりも小さいため、第１の空間２６は比較的高周波の騒音を低減することができる。また第２の空間２８の間隔Ｈ２が第１の空間２６の間隔Ｈ１よりも大きく、またケーシング８がスクロール形状であることや第１の空間２６がケーシング８と同外形の第１のオリフィス板１６で形成されていることから、ケーシング８の周りの空間も第２の空間２８に含めることができ、またダクト内径Ｄｄよりもケーシング８の高さＨｃが小さいので、第２の空間２８の容積を大きくとることができ、より低周波の騒音を低減することができ、消音できる周波数帯域を拡大することができる。
【００８１】
またこのとき、外郭４の開口３に最も近い第２のオリフィス板１７の第２の連通孔２１の第２の吸込み胴２０がベルマウス形状であるので、空気を円滑に流入させることができ、またケーシング８の吸込み口１５と第１のオリフィス板１６と第２のオリフィス板１７のそれぞれ第１の連通孔１９と第２の連通孔２１が同心円であるので、空気をケーシング８の吸込み口１５まで直線的に導くことができ、またケーシング８の吸込み口１５と第１の連通孔１９と第２の連通孔２１が同径であり、空気をケーシング８の吸込み口１５まで流路の急拡大や急縮小が無く円滑に導くことができ、ファンに負荷を与えず消音機構を形成することができる。
【００８２】
また、第２のオリフィス板１７に開閉部３１を備えているので、３０電装部に対し、外郭４の開口３側から作業ができるようになるため、施工やメンテナンスを容易にすることができる。
【００８３】
また、第１のオリフィス板１６のみに水抜き穴２７を備えているので、第１のオリフィス板１６からあふれた結露水が外郭４から滴下することを防止することができ、また比較的容積の大きな第２の空間２８にドレン水を溜めることができるため、自然蒸発させることができ、また第２のオリフィス板１７を外すだけでドレン水の処理をすることができるため、メンテナンスを容易にすることができる。
【００８４】
図５と図６に本実施の形態１の遠心送風機１、第１のオリフィス板も第２のオリフィス板も共にない場合の遠心送風機１、第１のオリフィスのみを設置した場合の遠心送風機１の騒音の周波数特性のグラフを示す。一部の周波数の音圧レベルが低減していることがわかる。本発明の実施の形態１の構成では、第１のオリフィス板も第２のオリフィス板もない場合と比較して２．４ｄＢの騒音低減効果が、また第１のオリフィスのみの場合と比較しても１．１ｄＢの騒音低減効果が確認できた。
【００８５】
なお、本発明の実施の形態１では第１の連通孔１９と第２の連通孔２１は共にケーシング８の吸込み口１５と同径で同心円としたが、第２の連通孔２１の内径が第１の連通孔１９の内径より大きくても良く、また第１の連通孔１９が第２の連通孔２１と同心でなく外郭４の開口３側から見たときに第２の連通孔２１の範囲内に位置していれば、同様の効果を得ることができる。
【００８６】
またなお、本発明の実施の形態１では第１の隙間ｔ１と第２の隙間ｔ２、第１の空間２６の容積と第２の空間２８の容積がそれぞれ異なるとしたが、同一とすれば同じ周波数を集中して消音することができる。
【００８７】
（実施の形態２）
実施の形態１と同一部分は同一番号を附し、詳細な説明は省略する。本発明の実施の形態２は、図７に示すように、第２の空間２８の内部に吸音材３２を備えた構成となっている。
【００８８】
上記構成により、共鳴消音に加え吸音材３２での吸音ができるため、消音できる周波数帯域を拡大することができる。
【００８９】
（実施の形態３）
実施の形態１または２と同一部分は同一番号を附し、詳細な説明は省略する。本発明の実施の形態３は、図８に示すように、第１のオリフィス板１６により形成される第１の空間が、分割壁３６で円周方向に二つに分割された構成となっている。
【００９０】
上記構成により、異なる容積の空間の数を増やすことができるため、異なる共鳴周波数をもつ複数の共鳴消音機構を形成でき、消音できる周波数帯域を拡大することができる。
【００９１】
（実施の形態４）
実施の形態１乃至３と同一部分は同一番号を附し、詳細な説明は省略する。本発明の実施の形態４は、図９に示すように、外郭４の側面１０のスリット穴３３により上下方向の固定位置を調整できる固定部品３４を備え、固定部品３４に固定される第２のオリフィス板１７の位置を変更できる構成となっている。
【００９２】
上記構成により、第２の空間２８の容積や第２の隙間ｔ２を変化させることで共鳴周波数を変更することができ、消音できる周波数帯域を調整することができる。
【００９３】
（実施の形態５）
実施の形態１乃至４と同一部分は同一番号を附し、詳細な説明は省略する。本発明の実施の形態４は、図１０に示すように、第２のオリフィス板１７の第２の吸込み胴２０が二重構造で、伸縮できる構成となっている。
【００９４】
上記構成により、第２のオリフィス板１７の第２の吸込み胴２０の第２の端部２３と第１のオリフィス板１６との第２の隙間ｔ２を変化させることができるため、共鳴周波数を変更することができ、消音できる周波数帯域を調整することができる。
【００９５】
（実施の形態６）
実施の形態１乃至５と同一部分は同一番号を附し、詳細な説明は省略する。本発明の実施の形態４は、図１１に示すように、ケーシング８の側壁２４を外郭４の開口３側に延伸した延長側壁２５を備え、延長側壁２５と、延長側壁２５と同外形の第１のオリフィス板１６により第１の空間２６が形成され、延長側壁２５と同外形の第２のオリフィス板１７により第２の空間２８が形成された構成となっている。
【００９６】
上記構成により、外郭４内に設置された電装部３０に対し、外郭４の開口３側から直接作業ができるようになるため、施工やメンテナンスを容易にすることができる。
【００９７】
（実施の形態７）
実施の形態１乃至６と同一部分は同一番号を附し、詳細な説明は省略する。本発明の実施の形態４は、図１２に示すように、外観の向上のために外郭４の開口３を覆うように取付けられるグリル３５を備え、グリル３５に第２の吸込み胴２０を備えた第２の連通孔２１を備えた構成となっている。
【００９８】
上記構成により、グリル３５により第２の空間２８を形成することができるため、外観の向上と共鳴消音による騒音の低減を低コストで実現することができる。
【産業上の利用可能性】
【００９９】
本発明は、低コストでファンに負荷を与えず施工やメンテナンスが容易な構造で消音できる周波数帯域の拡大し、ファン負荷の状態が変わっても騒音を低減することができる遠心送風機を提供するものであり、特に空調機器や換気送風機器に利用可能である。
【図面の簡単な説明】
【０１００】
【図１】本発明の実施の形態１の遠心送風機を示す斜視図
【図２】本発明の実施の形態１の遠心送風機を示す斜視断面図
【図３】本発明の実施の形態１の遠心送風機を示す側断面図
【図４】本発明の実施の形態１の遠心送風機を示す下面部分断面図
【図５】本発明の実施の形態１の遠心送風機の騒音低減効果を表す周波数特性のグラフ
【図６】本発明の実施の形態１の遠心送風機の騒音低減効果を表す周波数特性のグラフ
【図７】本発明の実施の形態２の遠心送風機を示す側断面図
【図８】本発明の実施の形態３の遠心送風機を示す側断面図
【図９】本発明の実施の形態４の遠心送風機を示す側断面図
【図１０】本発明の実施の形態５の遠心送風機を示す側断面図
【図１１】本発明の実施の形態６の遠心送風機を示す側断面図
【図１２】本発明の実施の形態７の遠心送風機を示す側断面図
【図１３】従来の遠心送風機を示す側断面図
【符号の説明】
【０１０１】
１    遠心送風機
２    下面
３    開口
４    外郭
５    天板
６    電動機
Ｈｃ  ケーシング高さ
７    遠心羽根車
８    ケーシング
９    吐出口
１０  側面
１１  排出口
１２  ダクト
１３  アダプタ
Ｄｄ  ダクト内径
１４  回転軸
Ｄ０  吸込み口内径
１５  吸込み口
Ｈ１  間隔
１６  第１のオリフィス板
Ｈ２  間隔
１７  第２のオリフィス板
１８  第１の吸込み胴
１９  第１の連通孔
２０  第２の吸込み胴
２１  第２の連通孔
２２  第１の端部
ｔ１  第１の隙間
２３  第２の端部
ｔ２  第２の隙間
２４  側壁
２５  延長側壁
２６  第１の空間
２７  水抜き穴
２８  第２の空間
２９  舌部
３０  電装部
３１  開閉部
３２  吸音材
３３  スリット穴
３４  固定部品
３５  グリル
３６  分割壁
【図１】
2010014043.tif 000003
【図２】
2010014043.tif 000004
【図３】
2010014043.tif 000005
【図４】
2010014043.tif 000006
【図５】
2010014043.tif 000007
【図６】
2010014043.tif 000008
【図７】
2010014043.tif 000009
【図８】
2010014043.tif 000010
【図９】
2010014043.tif 000011
【図１０】
2010014043.tif 000012
【図１１】
2010014043.tif 000013
【図１２】
2010014043.tif 000014
【図１３】
2010014043.tif 000015